【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
溶融状態にある熱可塑性樹脂に、ポリ（オキシアルキレン）鎖あたり２種またはそれ以上の異なるポリ（オキシアルキレン）置換基を有する、ポリ（オキシアルキレン）置換のジスアゾ発色団を、前記熱可塑性樹脂に着色を提供するに充分な少量、導入することからなる、熱可塑性樹脂の着色方法であって、
前記ジスアゾ発色団は、下記式（Ｉ）により表され、
（Ｉ）  Ｒ２  −Ｎ＝Ｎ−［Ｒ１  ］ｘ  −Ａ−［Ｒ１  ］ｘ  Ｎ＝Ｎ−Ｒ２  
（式中、Ｒ１  およびＲ２  は、同一でも異なっていてもよく、置換アリール基及び非置換アリール基からなる群から選ばれ、Ａは、Ｏ、Ｓ、ＣＯ２  、ＳＯ２  、Ｃ１  −Ｃ８  飽和アルキル基、Ｃ２  アルケン基、ｐ-フェニレンジアミン、ｍ-ヒドロキシベンゼン、およびｍ-ジ（Ｃ１  −Ｃ４  ）アルコキシベンゼンからなる群から選ばれ、ｘは１であり、Ａがジｍ-ヒドロキシベンゼンまたはｍ−ジ（Ｃ１  −Ｃ３  ）アルコキシベンゼンであればｘは０である。）
前記オキシアルキレン置換基は、Ｎ、ＮＲ、Ｏ、Ｓ、Ｓ２  、ＳＯ２  Ｎ、ＳＯ２  ＮＲ、ＣＯ２  、ＣＯＮ、及びＣＯＮＲ（式中、ＲはＨ、Ｃ１  −Ｃ１２  アルキル、フェニル、またはベンジルである）からなる群から選ばれた結合基によりジスアゾ発色団のＲ２基に結合しており、
前記ポリ（オキシアルキレン）置換のジスアゾ発色団の前記ポリ（オキシアルキレン）置換基は、酸化ポリエチレン、酸化ポリプロピレン、酸化ポリブチレン、およびそのコポリマーからなる群から選ばれ、
前記ポリ（オキシアルキレン）鎖のそれぞれは、約８８〜約２５００の平均分子量を有する熱可塑性樹脂の着色方法。
【請求項２】
前記樹脂は、ポリオレフィンポリマーおよびコポリマー、ポリスチレン、ポリカーボネート、ＡＢＳ、ポリビニルクロライド、ポリビニリデンクロライド、セルロース樹脂、アクリル樹脂、ポリアミド、およびポリエステルからなる群から選ばれる請求項１に記載の方法。
【請求項３】
前記樹脂は、ポリオレフィンである請求項２に記載の方法。
【請求項４】
前記ポリオレフィンは、ポリエチレン、線状低密度ポリエチレン、ポリプロピレン、ポリブチレン、並びにエチレン、プロピレン、ブチレンのコポリマー、およびその混合物からなる群から選ばれる請求項３に記載の方法。
【請求項５】
前記樹脂は、ポリビニルクロライド、およびポリビニリデンクロライドからなる群から選ばれる請求項２に記載の方法。
【請求項６】
前記着色剤は、下記の構造を有する化合物からなる群から選ばれる請求項１に記載の方法。
【化１】
2001522897.tif 000001
（式中、Ｒは、酸化ポリエチレン、酸化ポリプロピレン、酸化ポリブチレン、およびそのコポリマーからなる群から選ばれる２種またはそれ以上の異なるポリ（オキシアルキレン）置換基を示す請求項１に記載の方法。
【請求項７】
前記ポリ（オキシアルキレン）置換基は、酸化エチレンと酸化プロピレンのランダムまたはブロックコポリマーである請求項１に記載の方法。
【請求項８】
前記ポリ（オキシアルキレン）置換基は、約２０〜８０％の酸化エチレンと、約８０〜２０％の酸化プロピレンのランダムまたはブロックコポリマーである請求項１８に記載の方法。
【請求項９】
前記ポリ（オキシアルキレン）置換基は、約４０〜６０％の酸化エチレンと、約６０〜４０％の酸化プロピレンのランダムまたはブロックコポリマーである請求項１８に記載の方法。
【請求項１０】
前記ポリ（オキシアルキレン）置換基は、約４４〜４５％の酸化エチレンと、約５５〜５６％の酸化プロピレンのランダムまたはブロックコポリマーである請求項１９に記載の方法。
【請求項１１】
熱可塑性樹脂、及び
前記熱可塑性樹脂に着色を提供するに充分な少量のポリ（オキシアルキレン）置換のジスアゾ発色団
を含む着色された熱可塑性樹脂であって、
前記ジスアゾ発色団は、下記式（Ｉ）により表され、
（Ｉ）  Ｒ２  −Ｎ＝Ｎ−［Ｒ１  ］ｘ  −Ａ−［Ｒ１  ］ｘ  Ｎ＝Ｎ−Ｒ２  
（式中、Ｒ１  およびＲ２  は、同一でも異なっていてもよく、置換アリール基及び非置換アリール基からなる群から選ばれ、Ａは、Ｏ、Ｓ、ＣＯ２  、ＳＯ２  、Ｃ１  −Ｃ８  飽和アルキル基、Ｃ２  アルケン基、ｐ-フェニレンジアミン、ｍ-ヒドロキシベンゼン、およびｍ-ジ（Ｃ１  −Ｃ４  ）アルコキシベンゼンからなる群から選ばれ、ｘは１であり、Ａがジｍ-ヒドロキシベンゼンまたはｍ−ジ（Ｃ１  −Ｃ３  ）アルコキシベンゼンであればｘは０である。）
前記オキシアルキレン置換基は、Ｎ、ＮＲ、Ｏ、Ｓ、Ｓ２  、ＳＯ２  Ｎ、ＳＯ２  ＮＲ、ＣＯ２  、ＣＯＮ、及びＣＯＮＲ（式中、ＲはＨ、Ｃ１  −Ｃ１２  アルキル、フェニル、またはベンジルである）からなる群から選ばれた結合基によりジスアゾ発色団のＲ２基に結合しており、
前記ポリ（オキシアルキレン）置換のジスアゾ発色団の前記ポリ（オキシアルキレン）置換基は、酸化ポリエチレン、酸化ポリプロピレン、酸化ポリブチレン、およびそのコポリマーからなる群から選ばれ、
前記ポリ（オキシアルキレン）鎖のそれぞれは、約８８〜約２５００の平均分子量を有する着色された熱可塑性樹脂。
【請求項１２】
前記樹脂は、ポリオレフィンポリマーおよびコポリマー、ポリスチレン、ポリカーボネート、ＡＢＳ、ポリビニルクロライド、ポリビニリデンクロライド、セルロース樹脂、アクリル樹脂、ポリアミド、およびポリエステルからなる群から選ばれる請求項１１に記載の着色された樹脂。
【請求項１３】
前記樹脂は、ポリオレフィンである請求項１２に記載の着色された樹脂。
【請求項１４】
前記ポリオレフィンは、ポリエチレン、線状低密度ポリエチレン、ポリプロピレン、ポリブチレン、並びにエチレン、プロピレン、ブチレンのコポリマー、およびその混合物からなる群から選ばれる請求項１３に記載の着色された樹脂。
【請求項１５】
前記樹脂は、ポリビニルクロライド、およびポリビニリデンクロライドからなる群から選ばれる請求項１２に記載の着色された樹脂。
【請求項１６】
前記着色剤は、下記の構造を有する化合物からなる群から選ばれる請求項１に記載の方法。
【化２】
2001522897.tif 000002
（式中、Ｒは、酸化ポリエチレン、酸化ポリプロピレン、酸化ポリブチレン、およびそのコポリマーからなる群から選ばれる２種またはそれ以上の異なるポリ（オキシアルキレン）置換基を示す請求項１１に記載の着色された樹脂。
【請求項１７】
前記ポリ（オキシアルキレン）置換基は、酸化エチレンと酸化プロピレンのランダムまたはブロックコポリマーである請求項１１に記載の着色された樹脂。
【請求項１８】
前記ポリ（オキシアルキレン）置換基は、約２０〜８０％の酸化エチレンと、約８０〜２０％の酸化プロピレンのランダムまたはブロックコポリマーである請求項１８に記載の着色された樹脂。
【請求項１９】
前記ポリ（オキシアルキレン）置換基は、約４０〜６０％の酸化エチレンと、約６０〜４０％の酸化プロピレンのランダムまたはブロックコポリマーである請求項１８に記載の着色された樹脂。
【請求項２０】
前記ポリ（オキシアルキレン）置換基は、約４４〜４５％の酸化エチレンと、約５５〜５６％の酸化プロピレンのランダムまたはブロックコポリマーである請求項１９に記載の着色された樹脂。
【手続補正２】
【補正対象書類名】明細書
【補正対象項目名】００１３
【補正方法】変更
【補正の内容】
【００１３】
アゾ発色団は、共有結合された結合基によりリンクして、ダイマーを形成する。２つの発色団間の適切な結合基の例は、Ｏ、Ｓ、ＣＯ２  、ＳＯ２  、Ｃ１  〜Ｃ８  飽和アルキル基、Ｃ２  アルケン基、ｐ-フェニレンジアミン（式中、Ｒ１  ＝ＮＨ２  、ｘ＝１以下）、ｍ-ジヒドロキシベンゼン、およびｍ-ジ（Ｃ１  −Ｃ３  ）アルコキシベンゼンである。